(57)【要約】【課題】アクセサリを装着しているときと装着していないときでそれぞれ最適な表示、操作形態を取ることができる撮像装置を提供する。【解決手段】撮像装置は、カメラ本体１００とカメラ本体１００に着脱可能なアクセサリ（無線ＬＡＮアダプタ７００、補助グリップ８００）とからなる。カメラ本体１００は、液晶モニタ２８と第１の操作手段としてのタッチパネル３３を有し、カメラ本体１００またはアクセサリのいずれかに第２の操作手段（各種釦）を有する。また、カメラ本体１００は、アクセサリが装着されているときと装着されていないときとで、第１の操作手段及び第２の操作手段の機能を変更するとともに液晶モニタ２８の表示形態を変更するシステムコントローラ５０を有する。【選択図】図５
2009175595.tif 000002
【特許請求の範囲】
【請求項１】
装置本体と前記装置本体に着脱可能なアクセサリとからなり、
前記装置本体は、表示部材と第１の操作手段とを有し、
前記装置本体または前記アクセサリのいずれかに第２の操作手段を有し、
前記装置本体は、前記アクセサリが装着されているときと装着されていないときとで、前記第１の操作手段及び前記第２の操作手段の機能を変更するとともに前記表示部材の表示形態を変更する制御手段を有することを特徴とする撮像装置。
【請求項２】
前記第１の操作手段はタッチパネルであることを特徴とする請求項１記載の撮像装置。
【請求項３】
前記第２の操作手段は前記アクセサリに設けられており、
前記制御手段は、前記アクセサリが装着されていないときには、前記第１の操作手段に機能を割付け、前記アクセサリが装着されているときには、前記第２の操作手段に機能を割付けることを特徴とする請求項１または請求項２記載の撮像装置。
【請求項４】
前記制御手段は、前記アクセサリが装着されていないときには、前記表示部材の所定の領域に機能の割付けのための釦アイコンの表示を行い、前記アクセサリが装着されているときには、前記表示部材の全有効表示領域を使用して情報の表示を行うことを特徴とする請求項３記載の撮像装置。
【請求項５】
前記制御手段は、前記アクセサリが装着されていないときには、前記表示部材の所定の領域に機能の割付けのための釦アイコンの表示を行い、前記アクセサリが装着されているときには、前記所定の領域に前記アクセサリに関わる情報の表示を行うことを特徴とする請求項３記載の撮像装置。
【請求項６】
前記第２の操作手段は前記装置本体に設けられており、
前記制御手段は、前記アクセサリが装着されていないときには、前記第２の操作手段に機能を割付け、前記アクセサリが装着されているときには、前記第１の操作手段に機能を割付けることを特徴とする請求項１または請求項２記載の撮像装置。
【請求項７】
前記アクセサリが装着されているときには、前記第２の操作手段の少なくとも一部が前記アクセサリに覆われることを特徴とする請求項６記載の撮像装置。
【請求項８】
前記制御手段は、前記アクセサリが装着されているときには、前記第２の操作手段の操作を受け付けないように制御することを特徴とする請求項６または請求項７記載の撮像装置。
【発明の詳細な説明】
【技術分野】
【０００１】
本発明は、タッチパネルを有する撮像装置に関するものである。
【背景技術】
【０００２】
デジタルカメラ等の撮像装置では、カメラの背面に表示手段が設けられており、撮影前情報や撮影済み画像が表示される構成が一般的になっている。
【０００３】
近年、デジタルカメラの液晶モニタ等の表示手段は、表示画像を見やすくするために、より大きな表示画面を有するものが望まれている。しかしながら、限られたカメラの大きさの中で大画面の表示手段を搭載しようとすると、操作部材を配置する場所が確保できなくなるという問題がある。
【０００４】
上記問題の対応策として、タッチパネルにより各種操作が可能なカメラ及びそのカメラに対応したアクセサリが提案されている。
【０００５】
例えば、特許文献１では、防水ケース収納時もカメラの各種機能を操作できるようにするため、防水ケース収納時もタッチパネルの操作が可能な構成のカメラが提案されている。
【特許文献１】特開２００２−２０７２４６号公報
【発明の開示】
【発明が解決しようとする課題】
【０００６】
しかしながら、装着時に操作釦（操作部材）を覆うような構成のアクセサリの場合は、アクセサリ装着時はその操作釦の機能は使用できなくなってしまう。そのため、アクセサリ装着時も全ての機能を操作可能にするためには、釦レイアウトやアクセサリの形状に制約が伴い、それぞれの機能のための最適な形状を取ることができない問題があった。
【０００７】
一方、操作釦をなくしてその機能をタッチパネルに割り付けた場合、操作部材のスペースが不要となり、画面のスペースを大きく取ることは可能になるが、カメラの操作性としては、操作釦に比較して操作の確実性、即時性の面で劣ることとなる。また、せっかく画面を大きくしても、そのタッチパネルのアイコン表示のために情報の有効表示面積が狭くなってしまうという問題がある。
【０００８】
本発明の目的は、アクセサリを装着しているときと装着していないときでそれぞれ最適な表示、操作形態を取ることができる撮像装置を提供することにある。
【課題を解決するための手段】
【０００９】
上記目的を達成するために、請求項１記載の撮像装置は、装置本体と前記装置本体に着脱可能なアクセサリとからなり、前記装置本体は、表示部材と第１の操作手段とを有し、前記装置本体または前記アクセサリのいずれかに第２の操作手段を有し、前記装置本体は、前記アクセサリが装着されているときと装着されていないときとで、前記第１の操作手段及び前記第２の操作手段の機能を変更するとともに前記表示部材の表示形態を変更する制御手段を有することを特徴とする。
【発明の効果】
【００１０】
本発明の撮像装置によれば、アクセサリを装着しているときと装着していないときでそれぞれ最適な表示、操作形態を取ることができる。
【発明を実施するための最良の形態】
【００１１】
以下、本発明の実施の形態を図面を参照しながら詳細に説明する。
【００１２】
（第１の実施の形態）
図１は、本発明の第１の実施の形態に係る撮像装置としてのデジタル一眼レフカメラの撮影レンズユニットを外した状態で前面側より見た斜視図である。図２は、本発明の第１の実施の形態に係る撮像装置としてのデジタル一眼レフカメラの上面図である。図３は、本発明の第１の実施の形態に係る撮像装置としてのデジタル一眼レフカメラの背面図である。
【００１３】
図１、図２及び図３において、カメラ本体（装置本体）１００には、撮影時に使用者がカメラを安定して握り易いように前方に突出したグリップ部５０１が設けられている。レンズマウント３１０は、着脱可能なレンズ装置（撮影レンズユニット）３００（図５）をカメラ本体１００に固定させる。レンズマウント３１０の奥にはメインミラー１がある。
【００１４】
マウント接点３１１は、カメラ本体１００と撮影レンズユニットとの間で制御信号、状態信号、データ信号等を介在すると共に、撮影レンズユニット側に電力を供給する機能を有する。
【００１５】
レンズロック解除釦５０４は、撮影レンズユニットを取り外す際に押し込む。撮影レンズを通過した撮影光束はミラーボックス５０２へ導かれる。
【００１６】
カメラ本体１００の上部（カメラ上部）のグリップ部５０１側には、撮影開始の起動スイッチとしてのシャッタ釦６２と、撮影時の動作モードに応じてシャッタスピードやレンズ絞り値を設定するための電子ダイヤル６５が配置されている。
【００１７】
カメラ本体１００の下面には、後述の外付けアクセサリである無線ＬＡＮアダプタ７００との電気的接続を行う接続コネクタ９３、後述の外付けアクセサリである補助グリップ８００の装着を検知するアクセサリ着脱検知部３５がある。また、カメラ本体１００の下面には、不図示の三脚や後述の無線ＬＡＮアダプタ７００、補助グリップ８００を装着するための三脚取り付けねじ穴９６がある。
【００１８】
アクセサリ着脱検知部３５は、補助グリップ装着時に、補助グリップ８００の凸部がアクセサリ着脱検知部３５に設けられたスイッチ（不図示）を押すことにより、補助グリップ８００の装着を検知する構成となっている。
【００１９】
シャッタ釦６２は、第１ストロークでＳＷ１（後述の６３）がオンし、第２ストロークにてＳＷ２（後述の６４）がオンする構成となっている。
【００２０】
カメラ上部中央には、カメラ本体１００に対してポップアップするストロボユニット５００と、フラッシュ取り付け用のアクセサリシュー４１０と、フラッシュ接点４１１があり、カメラ上部右よりにはモードダイヤル６０が配置されている。
【００２１】
グリップ部５０１に対して反対側の側面には、開閉可能な外部端子蓋５０６が設けられていて、この外部端子蓋５０６を開けた内部には、外部インタフェースとしてビデオ信号出力用ジャック（不図示）とＵＳＢ出力用コネクタ（不図示）が納められている。
【００２２】
カメラ背面（カメラ本体１００の背面）側には、上方にファインダ接眼窓５０９、液晶モニタ（表示部材）２８が設けられている。液晶モニタ２８の前面に積層して光透過性のタッチパネル（第１の操作手段）３３が配置されている。
【００２３】
カメラ背面側に配置された設定釦には、測距点選択釦７２、ＡＥロック釦７３、露出補正設定釦７４がある。また、カメラ上面には、カメラの動作を起動もしくは停止するための電源スイッチ６１がある。
【００２４】
図４は、図１のカメラ本体の底面に着脱可能な無線ＬＡＮアダプタの背面図である。
【００２５】
図４において無線ＬＡＮアダプタ７００において、コネクタ７０５は、カメラ本体１００との電気的接続を行う。取り付けねじ７０９は、カメラ本体１００の三脚取り付けねじ穴９６と累合し、無線ＬＡＮアダプタ７００をカメラ本体１００に固定する。
【００２６】
無線ＬＡＮアダプタ７００の背面には、操作部材（第２の操作手段）として、液晶モニタの表示／非表示の切り替え等の操作を行うＤＩＳＰ釦７６６、メニュー画面の呼び出し等の操作を行うＭＥＮＵ釦７６７、撮影した画像の再生等の操作を行う再生釦７６９が配置されている。
【００２７】
同様に、無線ＬＡＮアダプタ７００の背面には、操作部材（第２の操作手段）として、撮影した画像の消去等の操作を行う消去釦７７０、撮影した画像の印刷等の操作を行うイージーダイレクト釦７７１が配置されている。また、無線ＬＡＮアダプタ７００の側面には、有線ＬＡＮ接続のためのＥｔｈｅｒｎｅｔ(登録商標)用コネクタ（不図示）が設置されている。
【００２８】
図５は、本発明の実施の形態に係る撮像装置としてのデジタル一眼レフカメラの電気的な構成を示すブロック図である。
【００２９】
図５において、メインミラー１は、ファインダ観察状態では撮影光路内に斜設され、撮影状態では撮影光路外に退避する。また、メインミラー１は、ハーフミラーとなっており、撮影光路内に斜設されているときは、後述する焦点検出光学系へ被写体からの光線の約半分を透過させる。ピント板２には、後述の撮影レンズ３０１で結像された被写体の光学像が投影される。
【００３０】
サブミラー３は、メインミラー１と共に、ファインダ観察状態では撮影光路内に斜設され、撮影状態では撮影光路外に退避する。このサブミラー３は、斜設されたメインミラー１を透過した光線を下方に折り曲げて、後述の焦点検出部８の方に導くものである。
【００３１】
ペンタプリズム４はファインダ光路を変更する。撮影者は、アイピース５からピント板２を観察することで、撮影画面を観察することができる。
【００３２】
測光レンズ６及び測光センサ７は、それぞれ、ファインダ観察画面内の被写体輝度を測定するためのものであり、測光センサ７は、内部に公知の対数圧縮回路を持っているので、その出力は対数圧縮されたものとなる。焦点検出部８は、公知の位相差方式のものである。
【００３３】
フォーカルプレーンシャッタ９、ＣＣＤあるいはＣＭＯＳ等の撮像素子１４がある。ミラー位置検出部１１は、フォトインタラプタやフォトリフレクタ、あるいはメカ的にオン／オフするＳＷ等で構成され、メインミラー１が動作状態の時に所定の位置にあることを検出する。
【００３４】
ディスプレイオフセンサ１０は、投光ＩＲＥＤ（不図示）と受光センサ（不図示）で構成されており、投光ＩＲＥＤから赤外光を投光し、顔面から反射した赤外光を受光センサで検知することにより、顔面の近接を検知可能なように構成されている。
【００３５】
液晶モニタ２８に撮影前情報を表示中に、顔等の物体がファインダ接眼窓５０９に近接すると、ディスプレイオフセンサ１０によって、液晶モニタ２８の表示を消灯するように制御される。
【００３６】
Ａ／Ｄ変換器１６は、撮像素子１４のアナログ出力信号をデジタル信号に変換する。タイミング発生回路１８は、撮像素子１４、Ａ／Ｄ変換器１６、Ｄ／Ａ変換器２６にクロック信号や制御信号を供給し、メモリ制御回路２２及びシステムコントローラ５０により制御される。
【００３７】
画像処理回路２０は、Ａ／Ｄ変換器１６からのデータあるいはメモリ制御回路２２からのデータに対して所定の画素補間処理や色変換処理を行う。画像処理回路２０は、撮像素子１４で撮像した画像データを用いて所定の演算処理を行い、得られた演算結果に基づいてＴＴＬ方式のＡＷＢ（オートホワイトバランス）処理も行っている。
【００３８】
メモリ制御回路２２は、Ａ／Ｄ変換器１６、タイミング発生回路１８、画像処理回路２０、画像表示メモリ２４、Ｄ／Ａ変換器２６、第１のメモリ３０、圧縮・伸長回路３２を制御する。
【００３９】
Ａ／Ｄ変換器１６のデータが、画像処理回路２０、メモリ制御回路２２を介して、あるいはＡ／Ｄ変換器１６のデータが直接メモリ制御回路２２を介して、画像表示メモリ２４あるいは第１のメモリ３０に書き込まれる。
【００４０】
画像表示メモリ２４に書き込まれた表示用の画像データは、Ｄ／Ａ変換器２６を介してＴＦＴＬＣＤから成る液晶モニタ２８により表示される。
【００４１】
タッチパネル３３の出力は、タッチパネルインタフェース（Ｉ／Ｆ）３４を介してシステムコントローラ５０に入力される。
【００４２】
第１のメモリ３０は、撮影した画像データを格納するためのものであり、所定枚数の静止画像データを格納するのに十分な記憶量を備えている。また、第１のメモリ３０は、システムコントローラ５０の作業領域としても使用することが可能である。
【００４３】
圧縮・伸長回路３２は、適応離散コサイン変換（ＡＤＣＴ）等により画像データを圧縮伸長するものでありであり、第１のメモリ３０に格納された画像データを読み込んで圧縮処理あるいは伸長処理を行い、処理を終えた画像データを第１のメモリ３０に書き込む。
【００４４】
アクセサリ着脱検知部３５は、アクセサリの着脱を検知する。シャッタ制御部（露光制御手段）４０は、フォーカルプレーンシャッタ９を制御する。ミラー制御部４１は、メインミラー１をアップ、ダウンさせるためのモータと駆動回路からなる。
【００４５】
システムコントローラ５０は、カメラ本体１００の全体を制御する。第２のメモリ５２は、システムコントローラ５０の動作用の定数、変数、プログラム等を記憶する。光学フィルタ４４は、水晶の複屈折板、位相板、赤外カットフィルタを積層して構成されている。
【００４６】
内蔵ストロボ（内蔵閃光装置）１２０は、カメラ本体１００に内蔵され、被写体に対して閃光を発する。
【００４７】
内蔵ストロボ１２０は、Ｘｅ管１２１、反射笠１２２、Ｘｅ管１２１の発光を制御するＩＧＢＴ等で構成された発光制御回路１２３、Ｘｅ管１２１に給電する３００Ｖ程度の電圧を発生する充電回路１２４を備える。
【００４８】
ファインダ内表示部（表示部）５４は、システムコントローラ５０でのプログラムの実行に応じて、カメラの動作状態やメッセージ等を表示する液晶表示装置からなる。このファインダ内表示部５４は、ファインダを観察した際にピント板２の下部に見えるように構成されている。
【００４９】
ファインダ内表示部５４の表示内容としては、合焦表示、ＡＥロック／ＦＥロック表示、フラッシュ充電表示、赤目緩和設定表示、シャッタスピード表示、絞り値表示、露出レベル／露出補正表示、連続撮影可能売僧表示等がある。
【００５０】
不揮発性メモリ５６は、電気的に消去・記録可能であり、例えば、ＥＥＰＲＯＭ等が用いられる。
【００５１】
以下、本実施の形態におけるカメラの操作手段の説明を行う。操作手段はシステムコントローラ５０への各種の動作指示を入力するものであり、スイッチやダイヤル、レバー等で構成される。
【００５２】
モードダイヤル６０は、撮影モードを切り替える設定を行うことができる。第１のシャッタスイッチＳＷ１（６３）は、シャッタ釦６２（図２）の半押しでオンとなり、ＡＦ（オートフォーカス）処理、ＡＥ（自動露出）処理等の動作開始を指示する。
【００５３】
また、このＳＷ１のオンで所定時間の測光タイマが起動し、この測光タイマの起動中はファインダ内表示部５４や液晶モニタ２８に測光結果より演算されたシャッタスピードや絞り値、露出レベル表示が表示される。測光タイマは、ＳＷ１のオンの継続や電子ダイヤル６５、ＡＥロック釦７３等の操作部材の操作により更新される。
【００５４】
第２のシャッタスイッチＳＷ２（６４）は、シャッタ釦６２の全押しでオンとなり、一連の撮影処理の動作開始を指示する。
【００５５】
電源スイッチ６１は、カメラの電源をオン／オフする。電子ダイヤル６５は、撮影に関する選択、設定に使用する。電子ダイヤル６５を１クリック回転操作して、位相のずれた２ビットの信号をシステムコントローラ５０に送ることにより、回転方向と回転クリック数が検出される。
【００５６】
操作部１０１は各種釦類からなる。具体的には図３に示した測距点選択釦７２、ＡＥロック釦７３、露出補正設定釦７４がある。
【００５７】
電源制御部８０は、電池検出回路、ＤＣ−ＤＣコンバータ、通電するブロックを切り替えるスイッチ回路等により構成されている。電源制御部８０は、電源部８６の装着の有無、電池の種類、電池残量の検出を行い、検出結果及びシステムコントローラ５０の指示に基づいて内部のＤＣ−ＤＣコンバータを制御し、各部へ電力を供給する。
【００５８】
電源制御部８０と電源部８６は、ボディ側の電源部端子８２と電源側の電源部端子８４で接続される。電源部８６は、アルカリ電池やリチウム電池等の一次電池やＮｉＭＨ電池、Ｌｉ電池等の二次電池、ＡＣアダプタ等からなる。
【００５９】
メモリカードやハードディスク等の記録媒体２００とのインタフェース（Ｉ／Ｆ）９０、記録媒体２００と接続を行うボディ側記録媒体コネクタ９２がある。このインタフェース９０及びボディ側記録媒体コネクタ９２は、ＰＣＭＣＩＡカードやＣＦ（コンパクトフラッシュ(登録商標)）カード等の規格に準拠したものを用いて構成している。
【００６０】
通信部１１０は、ＵＳＢやＩＥＥＥ１３９４の通信機能を有する。コネクタ１１２は、通信部１１０によりカメラ本体１００を他の機器と接続する。
【００６１】
記録媒体２００は、メモリカードやハードディスク等である。記録媒体２００は、半導体メモリや磁気ディスク等から構成される記録部２０２、カメラ本体１００とのインタフェース（Ｉ／Ｆ）２０４、カメラ本体１００と接続を行うコネクタ２０６を備えている。
【００６２】
記録媒体２００は、記録媒体着脱検知部９８によってその着脱を検知される。通信線３９９は、後述のレンズ装置３００とカメラ本体１００側のシステムコントローラ５０との通信を行う。通信線４９９は、後述の外付けストロボ４００とカメラ本体１００側のシステムコントローラ５０との通信を行う。
【００６３】
次に、レンズ装置３００の説明をする。
【００６４】
レンズ装置３００において、撮影レンズ３０１は、被写体の光学像を内部に通過させ、撮像素子１４に結像する。フォーカス制御部３０２は、撮影レンズ３０１を光軸方向に駆動して、ピントを合わせるためのモータ及びモータ駆動回路からなる。
【００６５】
距離検出部３０３は、撮影レンズ３０１の位置情報から被写体までの距離を検出するためのエンコーダからなる。絞り３０４は、シャッタ（フォーカルプレーンシャッタ）９との組み合わせで撮影時の撮像素子１４への露光量を調整する。
【００６６】
絞り制御部３０５は、絞り３０４を駆動するモータ及びモータ駆動回路からなる。レンズ制御マイコン３０６は、フォーカス制御部３０２や絞り制御部３０５等を制御すると共に、カメラ本体１００側のシステムコントローラ５０との通信を制御する。
【００６７】
また、レンズ装置３００は、レンズマウント３１０を介して、着脱可能にカメラ本体１００に装着される。また、電気的にはシリアル通信線と電源部からなるマウント接点３１１でカメラ本体１００に接続される。
【００６８】
次に、カメラ本体１００に外付けされ、被写体に対して閃光を発する外付けストロボ（外付け閃光装置）４００の説明をする。
【００６９】
外付けストロボ４００は、Ｘｅ管４０１、反射笠４０２、Ｘｅ管４０１の発光を制御するＩＧＢＴ等で構成された発光制御回路４０３、Ｘｅ管４０１に給電する３００Ｖ程度の電圧を発生する充電回路４０４を備える。
【００７０】
また、外付けストロボ４００は、充電回路４０４に給電する電池等の電源部４０５、外付けストロボ４００の発光、充電等を制御すると共に、カメラ本体１００側のシステムコントローラ５０との通信を制御するストロボ制御マイコン４０６を備える。
【００７１】
また、外付けストロボ４００は、アクセサリシュー４１０を介して、着脱可能にカメラ本体１００に装着される。また、電気的にはシリアル通信線とＸ端子（発光端子）からなるフラッシュ接点４１１でカメラ本体１００に接続される。
【００７２】
次に、カメラ本体１００に外付けされ、無線ＬＡＮ、有線ＬＡＮ機能を提供する無線ＬＡＮアダプタ７００の説明をする。
【００７３】
無線ＬＡＮアダプタ７００において、無線ＬＡＮモジュール７０３は、無線ＬＡＮ機能を集約したものであり、無線ＬＡＮ通信のためのアンテナ７０４が接続されている。コネクタ７０５は、有線ＬＡＮ接続のためのＥｔｈｅｒｎｅｔ(登録商標)用コネクタである。マイコン７０６は、無線ＬＡＮアダプタ７００の各モジュールを統括的に制御する。
【００７４】
カメラ本体１００と有線ＬＡＮ、無線ＬＡＮの通信はインタフェース（Ｉ／Ｆ）７０２を介して行われ、その制御はマイコン７０６によって行われる。操作部７０７は、マイコン７０６に接続されている。操作部７０７の操作内容はマイコン７０６により、インタフェース７０２、接続コネクタ７０１、９３を介してカメラ本体１００側へ送られる。電源部７０８は、マイコン７０６の指示により無線ＬＡＮアダプタ７００内の各部へ必要な電源を供給する。
【００７５】
ここで、制御手段（システムコントローラ５０）は、アクセサリが装着されているときと装着されていないときとで、第１の操作手段（タッチパネル３３）及び第２の操作手段（各種釦）の機能を変更するとともに表示部材（液晶モニタ２８）の表示形態を変更する。
【００７６】
具体的な内容は後述する。
【００７７】
図６は、本発明の第１の実施の形態に係るもので、図５のデジタル一眼レフカメラによって実行されるアクセサリ装着時の所定機能の割付け処理の手順を示すフローチャートである。
【００７８】
以下、図６に基づき本実施の形態に係るデジタル一眼レフカメラの動作、表示について説明する。
【００７９】
以下に説明する一連の動作フローについては、メモリに記憶されたプログラムに基づき、システムコントローラ５０によって制御される。
【００８０】
図６のフローチャートが呼び出されると、ステップＳ１０１よりシーケンスを開始する。
【００８１】
ステップＳ１０１では、無線ＬＡＮアダプタ７００が装着されているか否か判別する。無線ＬＡＮアダプタ７００が装着されているか否かの判別はシステムコントローラ５０とマイコン７０６の通信が確立しているか否かで判別される。無線ＬＡＮアダプタ７００が装着されていると判断されればステップＳ１０４へ進み、無線ＬＡＮアダプタ７００が装着されていると判断されなければステップＳ１０２へ進む。
【００８２】
ステップＳ１０２では、液晶モニタ２８に撮影前情報とタッチパネル釦アイコンを表示してステップＳ１０３へ進む。
【００８３】
図７は、図６におけるステップＳ１０２での液晶モニタの表示の一例を示す図である。
【００８４】
図７において、液晶モニタ２８の上部の領域には撮影前情報が表示され、下部の領域には、左からイージーダイレクト釦アイコン１７１、ＭＥＮＵ釦アイコン１６７、ＤＩＳＰ釦アイコン１６６、再生釦アイコン１６９、消去釦アイコン１７０が表示されている。
【００８５】
ステップＳ１０３では、タッチパネル機能として、上記各釦アイコンにそれぞれ対応する機能を割り付ける。
【００８６】
具体的には、イージーダイレクト釦アイコン１７１に撮影した画像の印刷等の機能を割り付け、ＭＥＮＵ釦アイコン１６７にメニュー画面の呼び出し等の機能を割り付け、ＤＩＳＰ釦アイコン１６６に液晶モニタ２８の表示／非表示の切り替え等の機能を割り付ける。
【００８７】
また、再生釦アイコン１６９に撮影した画像の再生等の機能を割り付け、消去釦アイコン１７０に撮影した画像の消去等の機能を割り付ける。ステップＳ１０３の処理が終了すると本フローの処理を終了する。
【００８８】
ステップＳ１０４では、液晶モニタ２８の全有効表示領域を使用して撮影前情報を表示する。
【００８９】
図８は、図６におけるステップＳ１０４での液晶モニタの表示の一例を示す図である。
【００９０】
図８に示すように、撮影前情報は液晶モニタ２８の全有効領域を使用して表示される。
【００９１】
ステップＳ１０５では、図８に示すアクセサリ（無線ＬＡＮアダプタ７００）の各釦にそれぞれ対応する機能を割り付ける。
【００９２】
具体的には、イージーダイレクト釦７７１に撮影した画像の印刷等の機能を割り付け、ＭＥＮＵ釦７６７にメニュー画面の呼び出し等の機能を割り付け、ＤＩＳＰ釦７６６に液晶モニタ２８の表示／非表示の切り替え等の機能を割り付ける。
【００９３】
また、再生釦７６９に撮影した画像の再生等の機能を割り付け、消去釦７７０に撮影した画像の消去等の機能を割り付ける。ステップＳ１０５の処理が終了すると本フローの処理を終了する。
【００９４】
以上説明した本実施の形態によれば、メニュー画面の呼び出し等の機能は、カメラ単体時には液晶モニタに釦アイコンが表示され、タッチパネル３３で操作を行うこととなる。これにより、操作釦を削減でき、大型の液晶パネルを使用することが可能となる。
【００９５】
また、アクセサリとして、無線ＬＡＮアダプタ７００を装着した際には、無線ＬＡＮアダプタ７００に設けられた操作釦に機能が割り付けられることにより、釦操作による確実、迅速な操作が可能となる。そして、液晶モニタ２８は、全有効面積を使用して撮影前情報を大きく見やすく表示することとなる。
【００９６】
（第２の実施の形態）
図９は、本発明の第２の実施の形態に係るもので、図５のデジタル一眼レフカメラによって実行されるアクセサリ装着時の所定機能の割付け処理の手順を示すフローチャートである。
【００９７】
以下、図９のフローチャートに基づき本発明の第２の実施の形態に係るデジタル一眼レフカメラの動作、表示について説明する。
【００９８】
以下に説明する一連の動作フローについては、メモリに記憶されたプログラムに基づき、システムコントローラ５０によって制御される。
【００９９】
図９のフローチャートが呼び出されると、ステップＳ２０１よりシーケンスを開始する。
【０１００】
ステップＳ２０１、Ｓ２０２、Ｓ２０３、Ｓ２０５についてはそれぞれ図６のステップＳ１０１、Ｓ１０２、Ｓ１０３、Ｓ１０５と同様であるので説明を省略する。
【０１０１】
ステップＳ２０４では、液晶モニタ２８に撮影前情報と無線ＬＡＮアダプタ７００の設定情報を表示する。
【０１０２】
図１０は、図９におけるステップＳ２０４での液晶モニタの表示の一例を示す図である。
【０１０３】
図１０に示すように、液晶モニタ２８には撮影前情報が図７と同様の形態で表示され、図７の表示状態のときに操作釦アイコンが表示されていた領域に、無線ＬＡＮアダプタ７００の電池残量や通信状態などの状態を示す情報が表示される。
【０１０４】
その他のカメラ本体１００、無線ＬＡＮアダプタ７００の構成は、第１の実施の形態と同様である。
【０１０５】
以上説明した本実施の形態によれば、メニュー画面の呼び出し等の機能はカメラ単体時には液晶モニタ２８に釦アイコンが表示され、タッチパネル３３で操作を行うこととなる。これにより、操作釦を削減でき、大型の液晶パネルを使用することが可能となる。
【０１０６】
また、アクセサリとして、無線ＬＡＮアダプタ７００を装着した際には、無線ＬＡＮアダプタ７００に設けられた操作釦に機能が割り付けられることにより、釦操作による確実、迅速な操作が可能となる。
【０１０７】
また、その際、液晶モニタ２８には、撮影前情報と共にカメラ単体時に釦アイコンが表示されていた領域に無線ＬＡＮアダプタ７００に関する情報が表示されることとなる。そのため、無線ＬＡＮアダプタ７００に別途表示手段を設けることなく、撮影前情報はカメラ単体時と同様に表示をしつつ、無線ＬＡＮアダプタ７００に関する情報の表示が可能となる。
【０１０８】
（第３の実施の形態）
以下、本発明の第３の実施の形態に係るデジタル一眼レフカメラの動作、表示について説明する。
【０１０９】
図１１は、本発明の第３の実施の形態に係る撮像装置としてのデジタル一眼レフカメラの背面図である。
【０１１０】
図１１において、操作部材（第２の操作手段）として、以下の釦が配置されている。即ち、液晶モニタ２８の左上に、撮影した画像の印刷等の操作を行うイージーダイレクト釦７７１が配置されており、液晶モニタ２８の右上側に、測距点選択釦７２、ＡＥロック釦７３、露出補正設定釦７４が配置される。
【０１１１】
また、液晶モニタ２８の右側に、液晶モニタの表示／非表示の切り替え等の操作を行うＤＩＳＰ釦６６、メニュー画面の呼び出し等の操作を行うＭＥＮＵ釦６７、撮影した画像の再生等の操作を行う再生釦６９、撮影した画像の消去等の操作を行う消去釦７０がある。
【０１１２】
その他のカメラ本体１００の構成は第１の実施の形態と同様である。
【０１１３】
図１２は、本発明の第３の実施の形態に係るもので、図１１のデジタル一眼レフカメラによって実行されるアクセサリ装着時の所定機能の割付け処理の手順を示すフローチャートである。
【０１１４】
以下、図１２のフローチャートに基づき本実施の形態に係るデジタル一眼レフカメラの動作、表示について説明する。
【０１１５】
以下に説明する一連の動作フローについては、メモリに記憶されたプログラムに基づき、システムコントローラ５０によって制御される。
【０１１６】
図１２のフローチャートが呼び出されると、ステップＳ３０１よりシーケンスを開始する。
【０１１７】
ステップＳ３０１では、図１４に示す補助グリップ８０が装着されているか否か判別する。補助グリップ８００の詳細については後述する。
【０１１８】
補助グリップ８００が装着されていると判断されればステップＳ３０４へ進み、補助グリップ８００が装着されていると判断されなければステップＳ３０２へ進む。
【０１１９】
ステップＳ３０２では、液晶モニタ２８の全有効表示領域を使用して撮影前情報を表示し、ステップＳ３０３へ進む。
【０１２０】
図１３は、図１２におけるステップＳ３０２での液晶モニタの表示の一例を示す図である。
【０１２１】
図１３に示すように、撮影前情報は液晶モニタ２８の全有効領域を使用して表示される。
【０１２２】
ステップＳ３０３では、図１３に示すカメラ本体１００の各釦にそれぞれ対応する機能を割り付ける。
【０１２３】
具体的には、ＤＩＳＰ釦６６に液晶モニタ２８の表示／非表示の切り替え等の機能を割り付け、ＭＥＮＵ釦６７にメニュー画面の呼び出し等の機能を割り付け、再生釦６９に撮影した画像の再生等の機能を割り付ける。また、消去釦７０に撮影した画像の消去等の機能を割り付ける。ステップＳ３０３の処理が終了すると本フローの処理を終了する。
【０１２４】
ステップＳ３０４では、液晶モニタ２８に撮影前情報とタッチパネル釦アイコンを表示してステップＳ３０５へ進む。
【０１２５】
図１４は、図１２におけるステップＳ３０４で補助グリップを装着した状態の図１１のデジタル一眼レフカメラの背面図であり、その際の液晶モニタ２８の表示の一例を示す図である。
【０１２６】
図１４において、カメラ本体１００の下部に補助グリップ８００が装着されている。補助グリップ８００にはカメラの保持を安定させるためのグリップ補助部８０１が設けられており、これを装着することによりカメラを安定して保持できるようにする。
この補助グリップ８０１は、カメラ本体１００に装着時にＤＩＳＰ釦６６、ＭＥＮＵ釦６７、再生釦６９、消去釦７０の各操作釦を覆うように形成されている。あるいは、補助グリップ８０１は、各操作釦の少なくとも一部を覆うように形成されている。
【０１２７】
図１４の状態での液晶モニタ２８の左側の領域には撮影前情報が表示され、右端の領域には、上から、ＤＩＳＰ釦アイコン１６６、ＭＥＮＵ釦アイコン１６７、再生釦アイコン１６９、消去釦アイコン１７０が表示されている。
【０１２８】
ステップＳ３０５では、タッチパネル機能として、上記各釦アイコンにそれぞれ対応す
る機能を割り付ける。
【０１２９】
具体的には、ＤＩＳＰ釦アイコン１６６に液晶モニタ２８の表示／非表示の切り替え等の機能を割り付け、ＭＥＮＵ釦アイコン１６７にメニュー画面の呼び出し等の機能を割り付け、再生釦アイコン１６９に撮影した画像の再生等の機能を割り付ける。また、消去釦アイコン１７０に撮影した画像の消去等の機能を割り付ける。ステップＳ１０３の処理が終了するとステップＳ３０６へ進む。
【０１３０】
ステップＳ３０６では、ＤＩＳＰ釦６６、ＭＥＮＵ釦６７、再生釦６９、消去釦７０の各操作釦の操作を受け付けないように設定して本フローの処理を終了する。
【０１３１】
以上説明した本実施の形態によれば、カメラ単体時にはメニュー画面呼び出し等の機能はＭＥＮＵ釦６７の操作によって行われる。アクセサリとして補助グリップ８００が装着された場合は、ＭＥＮＵ釦６７等は補助グリップ８００に覆われて操作できなくなるが、液晶モニタ２８に表示されるアイコンをタッチパネル３３で操作することで同様の機能を使用することができる。
【０１３２】
このため、ＭＥＮＵ釦６７等の操作釦は補助グリップ８００等の特定のアクセサリの形状に制約されることなく、カメラ本体１００の操作性を考慮して最適な場所に配置することが可能となる。また、同様に補助グリップ８００等のアクセサリもＭＥＮＵ釦６７等の操作釦の配置に制約されることなく、アクセサリの機能に最適な形状を取ることができるようになる。
【０１３３】
尚、上記各実施の形態におけるタッチパネル３３の方式としては、マトリクス型抵抗膜方式、超音波表面弾性波方式、赤外線走査方式、アナログ容量結合方式、アナログ抵抗膜方式等、押圧ポイントが認識できるものであれば任意の方式を用いることができる。
【図面の簡単な説明】
【０１３４】
【図１】本発明の第１の実施の形態に係る撮像装置としてのデジタル一眼レフカメラの撮影レンズユニットを外した状態で前面側より見た斜視図である。
【図２】本発明の第１の実施の形態に係る撮像装置としてのデジタル一眼レフカメラの上面図である。
【図３】本発明の第１の実施の形態に係る撮像装置としてのデジタル一眼レフカメラの背面図である。
【図４】図１のカメラ本体の底面に着脱可能な無線ＬＡＮアダプタの背面図である。
【図５】本発明の実施の形態に係る撮像装置としてのデジタル一眼レフカメラの電気的な構成を示すブロック図である。
【図６】本発明の第１の実施の形態に係るもので、図５のデジタル一眼レフカメラによって実行されるアクセサリ装着時の所定機能の割付け処理の手順を示すフローチャートである。
【図７】図６におけるステップＳ１０２での液晶モニタの表示の一例を示す図である。
【図８】図６におけるステップＳ１０４での液晶モニタの表示の一例を示す図である。
【図９】本発明の第２の実施の形態に係るもので、図５のデジタル一眼レフカメラによって実行されるアクセサリ装着時の所定機能の割付け処理の手順を示すフローチャートである。
【図１０】図９におけるステップＳ２０４での液晶モニタの表示の一例を示す図である。
【図１１】本発明の第３の実施の形態に係る撮像装置としてのデジタル一眼レフカメラの背面図である。
【図１２】本発明の第３の実施の形態に係るもので、図５のデジタル一眼レフカメラによって実行されるアクセサリ装着時の所定機能の割付け処理の手順を示すフローチャートである。
【図１３】図１２におけるステップＳ３０２での液晶モニタの表示の一例を示す図である。
【図１４】図１２におけるステップＳ３０４で補助グリップを装着した状態の図１１のデジタル一眼レフカメラの背面図であり、その際の液晶モニタの表示の一例を示す図である。
【符号の説明】
【０１３５】
２８  液晶モニタ
３３  タッチパネル
３５  アクセサリ着脱検知部
５０  システムコントローラ
６２  シャッタ釦
６３  ＳＷ１
６４  ＳＷ２
６５  電子ダイヤル
６６  ＤＩＳＰ釦
６７  ＭＥＮＵ釦
６９  再生釦
７０  消去釦
７１  イージーダイレクト釦
７２  測距点選択釦
７３  ＡＥロック釦
７４  露出補正設定釦
７００  無線ＬＡＮアダプタ
８００  補助グリップ
【図１】
2009175595.tif 000003
【図２】
2009175595.tif 000004
【図３】
2009175595.tif 000005
【図４】
2009175595.tif 000006
【図５】
2009175595.tif 000007
【図６】
2009175595.tif 000008
【図７】
2009175595.tif 000009
【図８】
2009175595.tif 000010
【図９】
2009175595.tif 000011
【図１０】
2009175595.tif 000012
【図１１】
2009175595.tif 000013
【図１２】
2009175595.tif 000014
【図１３】
2009175595.tif 000015
【図１４】
2009175595.tif 000016